(57)【特許請求の範囲】
【請求項１】
弾性を有し薄肉の合成樹脂材から成る筒部の上部に、上端に達する複数のスリットを長手方向に沿って設けることにより複数の舌片を形成し、これらの舌片を前記筒部の上端開放部の内側に向けて重なり合うように折曲した生花保持具であり、上部から挿入した生花の茎を前記舌片間に固定することを特徴とする生花保持具。
【請求項２】
前記舌片は下方の折目により一旦外側に向けて折曲した後に、上方の折目により前記内側に向けて折曲して第１の係止部を形成したことを特徴とする請求項１に記載の生花保持具。
【請求項３】
前記舌片を内側に向けて折曲した場合に、前記筒部の上端開放部の中央部に前記舌片の先端同士による開口を形成するように前記舌片の長さを定めたことを特徴とする請求項１又は２に記載の生花保持具。
【請求項４】
前記筒部の中間から下部にかけて、下端に達する複数のスリットを長手方向に沿って設けることにより複数のひれ部を形成したことを特徴とする請求項１〜３の何れか１項に記載の生花保持具。
【請求項５】
前記ひれ部の少なくとも一部の先端を外側に向けて折曲し第２の係止部としたことを特徴とする請求項４に記載の生花保持具。
【請求項６】
前記ひれ部は下方先端に向うにつれ細幅としたことを特徴とする請求項４又は５に記載の生花保持具。
【発明の詳細な説明】
【技術分野】
【０００１】
本発明は、例えば花瓶や花立て等に生花を生ける際に、花瓶内の花が倒れ難くする生花保持具に関するものである。
【背景技術】
【０００２】
通常、花瓶に生花を生ける際には、花瓶に水を注水し、生花の茎部を花瓶内に挿入することにより花を生けている。
【０００３】
また、通常の花瓶内に挿入し、生花を保持するものとして、例えば特許文献１のものが知られている。
【先行技術文献】
【特許文献】
【０００４】
【特許文献１】特開２００３−３０４９５９号公報
【発明の概要】
【発明が解決しようとする課題】
【０００５】
花瓶や花立てに花を生ける際には、その瓶口の径に近い多数本の生花を挿入した場合に、花を安定させることができる。
【０００６】
しかし、例えば花瓶や花立ての口径に比較して少数本の生花を挿入すると、生花束の径よりも花瓶や花立て等の瓶口がはるかに広いことから、生花が片寄ったり傾いたりして安定させることが困難である。
【０００７】
水盤等の開口部が広い花器の場合には、剣山に茎部の先端を刺すことにより、生花を直立させることもできるが、瓶口の狭い花瓶等において、剣山を使用することは不適である。
【０００８】
また、特許文献１の器具は複数の部品から成る複雑な構造の器具であり、安価に製造することは困難である。
【０００９】
本発明の目的は、上述の課題を解消し、少数本の生花でも花瓶や花立ての花器に安定して保持できる安価な生花保持具を提供することにある。
【課題を解決するための手段】
【００１０】
上記目的を達成するための本発明に係る生花保持具は、弾性を有し薄肉の合成樹脂材から成る筒部の上部に、上端に達する複数のスリットを長手方向に沿って設けることにより複数の舌片を形成し、これらの舌片を前記筒部の上端開放部の内側に向けて重なり合うように折曲した生花保持具であり、上部から挿入した生花の茎を前記舌片間に固定することを特徴とする。
【発明の効果】
【００１１】
本発明に係る生花保持具によれば、少数本の生花でも花瓶等の花器に安定して保持することができる。
【図面の簡単な説明】
【００１２】
【図１】生花保持具の素材の斜視図である。
【図２】組立状態の斜視図である。
【図３】花瓶に生花保持具を挿入した状態の断面図である。
【図４】生花を生花保持具により保持した状態の斜視図である。
【図５】生花を生花保持具により保持した状態の断面図である。
【発明を実施するための形態】
【００１３】
本発明を図示の実施例に基づいて詳細に説明する。
図１は生花保持具の素材の斜視図、図２は組立状態の斜視図を示している。生花保持具１は肉薄で例えばペットボトル等に使用されるポリプロピレン等の弾性を有する合成樹脂材から成り、上下端を開放部とした例えば円筒状の筒部１ａから成っている。筒部１ａの上端周壁及び下端周壁には、それぞれ長手方向に多数のスリット１ｂ及びスリット１ｃを設けることにより、それぞれ多数枚の舌片１ｄ及びひれ部１ｅが筒部１ａの長手方向に上端、下端に達するまで形成されている。舌片１ｄ及びひれ部１ｅは、スリット１ｂ及びスリット１ｃによりそれぞれ互いに平行に形成されているが、先端に向うにつれて細幅とするようにしてもよい。
【００１４】
上方の舌片１ｄの中間部には、筒部１ａの円周方向の上下の２個所に折癖や部分的に肉薄とした折目１ｆ、１ｇが平行に設けられている。下方の折目１ｆにおいて、舌片１ｄが稍々外側に向くように谷折りで折り曲げられ、また上方の折目１ｇにおいて、舌片１ｄが内側に向かい筒部１ａの長手方向と直交する程度に大きく山折りされている。そして、折目１ｇにおいて、外側に突出されたフランジ状の第１の係止部１ｈが形成されている。折り目１ｇにより折り曲げられた隣り合う舌片１ｄ同士は、重なり合って筒部１ａの上端開放部を覆うようにされている。
【００１５】
この場合に、各舌片１ｄの長さは、その先端が筒部１ａの上端開放部の中心付近に達する程度とされている。また、上端開放部の中央において、舌片１ｄによる略円形の開口部が形成するように、舌片１ｄの長さを調整することもできる。
【００１６】
更に、筒部１ａの下端に形成した多数のひれ部１ｅは先端に向うにつれ稍々内側に軽く湾曲しておくと、花瓶Ｖの挿入が容易となる。また、ひれ部１ｅの先端部には、筒部１ａの円周方向に折目１ｉが設けられ、この折目１ｉにおいて、ひれ部１ｅが外側に向くように大きく谷折りすることにより、第２の係止部１ｊが形成されている。なお、生花保持具１の下部のひれ部１ｅのうち、折目１ｉにおいて折り曲げるひれ部１ｅは必ずしも全てのひれ部１ｅではなく、１枚おきに折ったり、任意のひれ部１ｅのみを折るようにしてもよい。また、折り曲げるひれ部１ｅの先端の形状を三角形状に尖らせてもよい。
【００１７】
図３は筒状の花瓶に生花保持具１を挿入した状態の断面図を示している。花瓶Ｖは内径が生花保持具１の筒部１ａの外径よりも大きめのものを選択することが好ましく、花瓶Ｖが生花保持具１よりも細径であると、生花保持具１を挿入することができなくなる。筒部１ａの下部には複数のスリット１ｃが設けられていることから、花瓶Ｖに生花保持具１を挿入すると、第２の係止部１ｊが外側に突出していても、ひれ部１ｅ同士がすぼむことにより、筒部１ａを花瓶Ｖの瓶口Ｖａから容易に内部に挿入することができる。
【００１８】
そして、生花保持具１は花瓶Ｖ内において、すぼめたひれ部１ｅの弾性力により、第２の係止部１ｊの先端を花瓶Ｖの内壁Ｖｂに押し付ける。同時に、外側に拡がった上部の折目１ｇから成る第１の係止部１ｈにおいても、折目１ｇ付近が花瓶Ｖの内壁Ｖｂに接することにより、生花保持具１は花瓶Ｖ内に安定して固定される。そして、第２の係止部１ｊとされない、つまり外側に折り曲げられていないひれ部１ｅの先端が花瓶Ｖの底部Ｖｃに達し、生花保持具１の高さ位置が決められる。
【００１９】
なお、折目１ｇにより外側に拡がった第１の係止部１ｈを、花瓶Ｖの内部に挿入せずに、瓶口Ｖａ上に係止させることにより、生花保持具１全体が花瓶Ｖ内に落ち込まないようにすることもできる。
【００２０】
図４は図３に示す生花保持具１を挿入した花瓶Ｖに、生花Ｆを挿入した状態の斜視図、図５は断面図をそれぞれ示している。
【００２１】
生花保持具１の使用に際しては、花瓶Ｖ内に水を注水し、生花保持具１を花瓶Ｖの上部から挿入して花瓶Ｖ内に固定する。この状態で、生花保持具１の上部から複数本の生花Ｆの茎Ｓを挿入する。これらの茎Ｓの挿入により、舌片１ｄは下方に押し曲げられ舌片１ｄ間に間隙が生ずるので、茎Ｓの先端を花瓶Ｖの底部Ｖｃ付近まで押し込むことができる。
【００２２】
なお、この場合に茎Ｓの挿入により生花保持具１が花瓶Ｖ内で下方に移動しないように、下部の一部のひれ部１ｅの先端が花瓶Ｖの底部Ｖｃにまで達していることが好ましいが、花瓶Ｖの長さが長く、生花保持具１の底部にまで達しない場合には、第１の係止部１ｈを花瓶Ｖの瓶口Ｖａ上に係止させることが好適である。
【００２３】
茎Ｓの押し込みが終わると、曲げられた舌片１ｄはその素材の弾性により復元する力が作用し、中心部に位置する茎Ｓは舌片１ｄの先端に囲まれて保持され、中心から外れた茎Ｓは隣り合う舌片１ｄ間で舌片１ｄの面により挟まれて保持される。このようにして、茎Ｓは花瓶Ｖに対して倒れることもなく、また、茎Ｓの径の大小に関係なく、茎Ｓは舌片１ｄ間に固定され、移動することはない。
【００２４】
また、生花Ｆの生花保持具１への挿入に際しては、挿入後に各生花Ｆの茎Ｓが舌片１ｄ間の好適な個所に位置するように調整することにより、茎Ｓの保持は更に確実になされる。
【００２５】
このように、茎Ｓが舌片１ｄ間に嵌まり込むことで、茎Ｓの位置が保持される。従って、茎Ｓが移動することはなく、また抜け出し方向に対しても茎Ｓを囲む舌片１ｄによる接触抵抗が大きく、茎Ｓは生花保持具１から抜け出し難くなる。
【００２６】
更には、第１、第２の係止部１ｈ、１ｊが花瓶Ｖに接合していることにより、生花保持具１は花瓶Ｖから外れることもなく、生花保持具１は生花Ｆの茎Ｓを確実に保持することができる。
【００２７】
なお、第１、第２の係止部１ｈ、１ｊ、ひれ部１ｅの内の少なくとも１つは、筒部１ａが花瓶Ｖの径に適合するものであれば、特に設けなくてもよい。また、折り目１ｆ、１ｇ、１ｉ以外にも花瓶Ｖの大きさに合わせて舌片１ｄ、ひれ部１ｅの長さを調整するために、他の個所に折り目を適宜に設けることもできる。
【００２８】
このように、花瓶Ｖを生花保持具１に取り付けることにより、生花Ｆの保持が確実になされると共に、生花保持具１の舌片１ｄが花瓶Ｖの蓋部の役割をも果たし、花瓶Ｖ内の水が蒸発し難くなり、生花Ｆをより長持ちさせる。また、屋外で使用する場合にも、生花Ｆが風雨により倒れることがなく、花瓶Ｖ内への土埃等の侵入も防ぐこともできる。
【００２９】
生花Ｆが枯れて花瓶Ｖから除去する場合には、生花Ｆを生花保持具１ごと花瓶Ｖから引き抜き、生花保持具１から枯れた生花Ｆを取り外して捨てれば、生花保持具１を再び使用することができる。
【符号の説明】
【００３０】
１  生花保持具
１ａ  筒部
１ｂ、１ｃ  スリット
１ｄ  舌片
１ｅ、  ひれ部
１ｆ、１ｇ、１ｉ  折目
１ｈ  第１の係止部
１ｊ  第２の係止部
Ｆ  生花
Ｓ  茎
Ｖ  花瓶
【要約】
【課題】花瓶に生けた複数本の生花を安定して保持する。
【解決手段】  使用に際しては、花瓶Ｖ内に水を注水し、生花保持具１を花瓶Ｖの上部から挿入して花瓶Ｖ内に固定する。この状態で、生花保持具１の上部から複数本の生花Ｆの茎Ｓを挿入する。これらの茎Ｓの挿入により、弾性を有する薄肉の舌片１ｄは、下方に押し曲げられ舌片１ｄ間に間隙が生ずるので、茎Ｓの先端を花瓶Ｖの中に押し込むことができる。茎Ｓの押し込みが終わると、曲げられた舌片１ｄはその素材の弾性により復元する力が作用し、中心部に位置する茎Ｓは舌片１ｄの先端に囲まれて保持され、中心から外れた茎Ｓは隣り合う舌片１ｄ間で舌片１ｄの面により挟まれて保持される。このようにして、茎Ｓは花瓶Ｖに対して倒れることもなく、また、茎Ｓの径の大小に関係なく、茎Ｓは舌片１ｄ間に固定され、移動することはない。
【選択図】図５【図１】
0005671753.tif 000002
【図２】
0005671753.tif 000003
【図３】
0005671753.tif 000004
【図４】
0005671753.tif 000005
【図５】
0005671753.tif 000006